(57)【特許請求の範囲】
【請求項１】
車両のタイヤ、タイヤハウスおよび車体底部を洗浄する洗浄装置であって、
タイヤ、タイヤハウスおよび車体底部へ向かって洗浄液を噴射する噴射手段と、この噴射手段を制御する制御手段とを備え、
前記噴射手段は、洗浄液が貯留されたタンクと、このタンクに接続されタンクからの洗浄液が内部を流動可能であり車体底部に環状に位置するように配設された接続管と、前記タンクから前記接続管へ洗浄液を圧送するポンプと、前記接続管に取り付けられ予め設定された設定圧力を基準に開閉状態が切り替わる複数の圧力バルブと、これらの各圧力バルブに取り付けられ洗浄液を噴射可能な噴射ノズルとを有し、
前記制御手段は、前記ポンプを制御することにより、前記タンクから洗浄液が設定圧力より低い圧力で供給されて前記接続管内を洗浄液が循環する循環状態と、前記タンクから洗浄液が設定圧力以上の圧力で供給されて前記噴射ノズルから洗浄液が噴射される噴射状態とに選択的に切り替え、
前記接続管は、外部を覆う外側管を有し、
この外側管は、噴射ノズルに対応する箇所に設けられた開口部と、この開口部を開閉する開閉体とを有する
ことを特徴とする洗浄装置。
【請求項２】
噴射ノズルであるタイヤ用ノズルは、噴射口がタイヤに向けられ、タイヤに洗浄液を噴射し、
噴射ノズルであるタイヤハウス用ノズルは、噴射口がタイヤハウスに向けられ、タイヤハウスに洗浄液を噴射し、
噴射ノズルである車体底部用ノズルは、噴射口が車体底部に向けられ、車体底部に洗浄液を噴射する
ことを特徴とする請求項１記載の洗浄装置。
【請求項３】
接続管は、タンクからの洗浄液が流動し圧力バルブを介して噴射ノズルが接続された洗浄液管部と、この洗浄液管部内の洗浄液を加熱するための加熱用流体が流動する加熱管部とを有し、これら洗浄液管部および加熱管部の外部が外側管で覆われている
ことを特徴とする請求項１または２記載の洗浄装置。
【請求項４】
車両のタイヤ、タイヤハウスおよび車体底部を洗浄する洗浄装置であって、
タイヤ、タイヤハウスおよび車体底部へ向かって洗浄液を噴射する噴射手段と、この噴射手段を制御する制御手段とを備え、
前記噴射手段は、洗浄液が貯留されたタンクと、このタンクに接続されタンクからの洗浄液が内部を流動可能であり車体底部に環状に位置するように配設された接続管と、前記タンクから前記接続管へ洗浄液を圧送するポンプと、前記接続管側からの洗浄液を噴射可能な複数の噴射ノズルとを有し、
前記接続管は、タンクから洗浄液が流動する洗浄液管部と、この洗浄液管部内の洗浄液を加熱するための加熱用流体が流動する加熱管部と、これら洗浄液管部および加熱管部の外部を覆う外側管とを有し、
この外側管は、噴射ノズルに対応する箇所に設けられた開口部と、この開口部を開閉する開閉体とを有し、
前記制御手段が前記ポンプを制御することにより、前記タンクから洗浄液が供給されて前記噴射ノズルから洗浄液が噴射される
ことを特徴とする洗浄装置。
【請求項５】
洗浄液は、消毒作用を有する
ことを特徴とする請求項１ないし４いずれか一記載の洗浄装置。
【発明の詳細な説明】
【技術分野】
【０００１】
本発明は、車両に取り付けられ、車両を洗浄する洗浄装置に関するものである。
【背景技術】
【０００２】
近年、牧場等の畜産施設においては、口蹄疫等の伝染病から家畜を護るための防疫対策が重要視されている。
【０００３】
また、農場等の農業施設においては、例えば、シストセンチュウ、ダイズシストセンチュウおよびキタネグサセンチュウ等の病原微生物によって、馬鈴薯等の農作物に感染する土壌伝染病への対策が重要視されている。
【０００４】
これらの家畜の伝染病や土壌伝染病は、畜産施設や農業施設等にて使用する車両に付着した土や泥を介して伝染することが、感染の原因の１つとされている。
【０００５】
感染対策の１つとして、車両に付着した土や泥を除去するための洗浄が手作業で行われていたが、車両が走行することにより土や泥が付着しやすいタイヤ、タイヤハウスおよび車体底部は、車両の構造上、手作業では洗浄しにくく、適切に洗浄できない。
【０００６】
そこで、例えば特許文献１に記載されたような、車両に取り付けられた洗浄装置により、運転しながらタイヤを洗浄するものが知られている。
【０００７】
この従来の洗浄装置としての消毒剤噴射装置は、消毒剤用のタンクと、消毒剤をタイヤに噴射可能な複数の噴射ノズルと、タンク内の消毒剤を噴射ノズルに圧送する圧送手段と、消毒剤の噴霧開始および噴霧停止を切り替える操作スイッチとを備え、圧送手段は、エアブレーキ作動用の圧搾空気を利用している。なお、従来の洗浄装置としては、圧送手段として従来の圧送ポンプを利用する構成も知られている。
【先行技術文献】
【特許文献】
【０００８】
【特許文献１】特開２００３−１０４１７５号公報（第２頁、図１）
【発明の概要】
【発明が解決しようとする課題】
【０００９】
しかしながら、上記従来の構成では、タイヤしか洗浄できないため、手作業では洗浄しにくいタイヤハウスおよび車体底部を洗浄できず、また、例えば冬季等の温度が低い環境では、非噴射時に配管内に残留した洗浄液がそのまま配管内で凍結するため、適切に洗浄作業を行えない問題が考えられる。
【００１０】
本発明はこのような点に鑑みなされたもので、タイヤ、タイヤハウスおよび車体底部を洗浄でき、また、温度が低い環境でも適切に洗浄作業を行うことができる洗浄装置を提供することを目的とする。
【課題を解決するための手段】
【００１１】
請求項１に記載された洗浄装置は、車両のタイヤ、タイヤハウスおよび車体底部を洗浄する洗浄装置であって、タイヤ、タイヤハウスおよび車体底部へ向かって洗浄液を噴射する噴射手段と、この噴射手段を制御する制御手段とを備え、前記噴射手段は、洗浄液が貯留されたタンクと、このタンクに接続されタンクからの洗浄液が内部を流動可能であり車体底部に環状に位置するように配設された接続管と、前記タンクから前記接続管へ洗浄液を圧送するポンプと、前記接続管に取り付けられ予め設定された設定圧力を基準に開閉状態が切り替わる複数の圧力バルブと、これらの各圧力バルブに取り付けられ洗浄液を噴射可能な噴射ノズルとを有し、前記制御手段は、前記ポンプを制御することにより、前記タンクから洗浄液が設定圧力より低い圧力で供給されて前記接続管内を洗浄液が循環する循環状態と、前記タンクから洗浄液が設定圧力以上の圧力で供給されて前記噴射ノズルから洗浄液が噴射される噴射状態とに選択的に切り替え、前記接続管は、外部を覆う外側管を有し、この外側管は、噴射ノズルに対応する箇所に設けられた開口部と、この開口部を開閉する開閉体とを有するものである。
【００１２】
請求項２に記載された洗浄装置は、請求項１に記載された洗浄装置において、噴射ノズルであるタイヤ用ノズルは、噴射口がタイヤに向けられ、タイヤに洗浄液を噴射し、噴射ノズルであるタイヤハウス用ノズルは、噴射口がタイヤハウスに向けられ、タイヤハウスに洗浄液を噴射し、噴射ノズルである車体底部用ノズルは、噴射口が車体底部に向けられ、車体底部に洗浄液を噴射するものである。
【００１３】
請求項３に記載された洗浄装置は、請求項１または２に記載された洗浄装置において、接続管は、タンクからの洗浄液が流動し圧力バルブを介して噴射ノズルが接続された洗浄液管部と、この洗浄液管部内の洗浄液を加熱するための加熱用流体が流動する加熱管部とを有し、これら洗浄液管部および加熱管部の外部が外側管で覆われているものである。
【００１４】
請求項４に記載された洗浄装置は、車両のタイヤ、タイヤハウスおよび車体底部を洗浄する洗浄装置であって、タイヤ、タイヤハウスおよび車体底部へ向かって洗浄液を噴射する噴射手段と、この噴射手段を制御する制御手段とを備え、前記噴射手段は、洗浄液が貯留されたタンクと、このタンクに接続されタンクからの洗浄液が内部を流動可能であり車体底部に環状に位置するように配設された接続管と、前記タンクから前記接続管へ洗浄液を圧送するポンプと、前記接続管側からの洗浄液を噴射可能な複数の噴射ノズルとを有し、前記接続管は、タンクから洗浄液が流動する洗浄液管部と、この洗浄液管部内の洗浄液を加熱するための加熱用流体が流動する加熱管部と、これら洗浄液管部および加熱管部の外部を覆う外側管とを有し、この外側管は、噴射ノズルに対応する箇所に設けられた開口部と、この開口部を開閉する開閉体とを有し、前記制御手段が前記ポンプを制御することにより、前記タンクから洗浄液が供給されて前記噴射ノズルから洗浄液が噴射されるものである。
【００１５】
請求項５に記載された洗浄装置は、請求項１ないし４いずれか一記載の洗浄装置において、洗浄液は、消毒作用を有するものである。
【発明の効果】
【００１６】
本発明によれば、タイヤ、タイヤハウスおよび車体底部へ向かって洗浄液を噴射する噴射手段を備え、この噴射手段が、車体底部に環状に位置するように配設された接続管を有するため、タイヤ、タイヤハウスおよび車体底部を洗浄でき、また、制御装置は、接続管内を洗浄液が循環する循環状態と、噴射ノズルから洗浄液が噴射される噴射状態とに選択的に切替可能であるため、非噴射時に洗浄液を循環させて洗浄液の凍結を防止でき、温度が低い環境でも適切に洗浄作業を行うことができる。
【００１７】
また、本発明によれば、タイヤ、タイヤハウスおよび車体底部へ向かって洗浄液を噴射する噴射手段を備え、この噴射手段が、車体底部に環状に位置するように配設された接続管を有するため、タイヤ、タイヤハウスおよび車体底部を洗浄でき、また、接続管は、洗浄液が流動する洗浄液管部と、加熱用流体が流動する加熱管部とを有するため、非噴射時に洗浄液の凍結を防止でき、温度が低い環境でも適切に洗浄作業を行うことができる。
【図面の簡単な説明】
【００１８】
【図１】本発明の一実施の形態に係る洗浄装置の構成を示す構成図である。
【図２】同上洗浄装置が取り付けられた車両を示す側面図である。
【図３】同上洗浄装置の接続管を示す斜視図である。
【図４】同上洗浄装置の接続管を示す断面図である。
【図５】同上洗浄装置の接続管を示す端面図である。
【図６】同上洗浄装置の接続管の変形例を示す斜視図である。
【図７】同上洗浄装置の接続管の変形例を示す断面図である。
【発明を実施するための形態】
【００１９】
本発明の一実施の形態の構成について図面を参照して詳細に説明する。
【００２０】
図１において、１は洗浄装置であり、この洗浄装置１は、図２に示すような車両２に取り付けられて、車両２を洗浄するものである。
【００２１】
ここで、車両２は、車体３と、この車体３にシャフト４を介して取り付けられたタイヤ５とを備え、車体３は、タイヤ５に対向するタイヤハウス６と、車体底部７とを有している。タイヤハウス６は、タイヤ５の円弧面状の外周面の一部、例えばタイヤ５の上方部、前方部および後方部を覆うようにタイヤ５に対向して設けられたもので、車両２が走行することにより、タイヤ５や車体底部７とともに土や泥が付着しやすい箇所である。
【００２２】
そして、洗浄装置１は、車両２が走行することにより土や泥が付着しやすいタイヤ５、タイヤハウス６および車体底部７を洗浄して、土や泥を除去する。
【００２３】
洗浄装置１は、タイヤ５、タイヤハウス６および車体底部７へ向かって、例えば次亜塩素酸を含む消毒液である洗浄液を噴射する噴射手段11と、この噴射手段11を制御する制御手段12とを備えている。
【００２４】
噴射手段11は、洗浄液が貯留されたタンク13と、このタンク13に接続されタンク13からの洗浄液が内部を流動する接続管14と、タンク13から接続管14へ洗浄液を圧送するポンプ15と、接続管14に互いに間隔をおいて取り付けられた複数の圧力バルブ16と、これらの各圧力バルブ16に取り付けられ洗浄液を噴射可能な噴射ノズル17とを有している。
【００２５】
制御手段12は、ポンプ15を制御することにより、噴射手段11を循環状態と噴射状態と選択的に切替可能である。
【００２６】
また、制御手段12は、制御を切り替えるスイッチ等の切替手段（図示せず）を有し、この切替手段は、例えば運転席等のように走行中に制御を切り替えやすい箇所に取り付けられている。
【００２７】
タンク13およびポンプ15は、例えば車両の所定箇所に設置されている。そして、ポンプ15は制御手段12により制御され、タンクに貯留された洗浄液がポンプ15の出力により接続管14へ圧送される。なお、タンク13には、例えばヒータやサーモスタット等の洗浄液加熱手段（図示せず）が設けられ、タンク13内の洗浄液が設定温度（例えば７０℃）に維持される。
【００２８】
接続管14は、図１に示すように、タンク13に接続された基端配管部21と、この基端配管部21に連通し、車体底部７の形状に対応するようにタイヤ５より内側にて車体３の長手方向に沿って配設された長手方向配管部22と、この長手方向配管部22に連通し、タイヤ５およびタイヤハウス６の形状に対応するように長手方向配管部22から車体３の幅方向に沿って配設された幅方向配管部23とを有しており、車体底部７に環状に位置するように配設されている。
【００２９】
幅方向配管部23は、タイヤ５側に位置する第１幅方向配管部24と、タイヤハウス６側に位置する第２幅方向配管部25と、これら第１幅方向配管部24と第２幅方向配管部25との間に位置する折返管部26とを有している。
【００３０】
接続管14は、円筒状の接続管本体31と、この接続管本体31の内部に設けられ、タンク13からの洗浄液が流動可能な洗浄液管部32と、接続管本体31内において洗浄液管部32の周囲を覆う断熱層33とを有している。
【００３１】
また、洗浄液管部32における長手方向に沿って間隔をおいた複数箇所には、洗浄液管部32から外側へ延びる連通路34が設けられ、この連通路34に圧力バルブ16が接続されている。
【００３２】
圧力バルブ16は、タンク13から接続管14へ供給される洗浄液の圧力に応じて、予め設定された設定圧力を基準に開閉状態が自動的に切り替わるものである。すなわち、圧力バルブ16は、タンク13から接続管14へ供給される洗浄液の圧力が設定圧力より低い低圧力の場合には閉状態となり、供給される洗浄液の圧力が上昇して設定圧力以上の高圧力になった場合には閉状態から開状態に切り替わって、噴射ノズル17に洗浄液が供給される。また一方、供給される洗浄液の圧力が高圧力から低圧力になった場合には、開状態から閉状態に切り替わって、噴射ノズル17への洗浄液の供給が停止される。
【００３３】
噴射ノズル17は、圧力バルブ16の作動にともなって洗浄液を霧状またはジェット状に噴射するものである。
【００３４】
なお、圧力バルブ16および噴射ノズル17は、タイヤ５、タイヤハウス６および車体底部７の略全域にわたって洗浄液が噴射されるように噴射量や噴射角度等を考慮して、設置間隔が適宜設定される。
【００３５】
噴射ノズル17であるタイヤ用ノズル35は、第１幅方向配管部24に設置された圧力バルブ16に取り付けられており、噴射口がタイヤ５に向けられてタイヤ５へ向かって洗浄液を噴射する。
【００３６】
噴射ノズル17であるタイヤハウス用ノズル36は、第２幅方向配管部25に設置された圧力バルブ16に取り付けられており、噴射口がタイヤハウス６に向けられてタイヤハウス６へ向かって洗浄液を噴射する。
【００３７】
噴射ノズル17である車体底部用ノズル37は、長手方向配管部22に設置された圧力バルブ16に取り付けられており、噴射口が車体底部７に向けられて車体底部７へ向かって洗浄液を噴射する。
【００３８】
ここで、図３および図４に示すように、接続管14は、接続管本体31の外部を覆う角筒状の外側管38を有している。
【００３９】
この外側管38は、図５に示すように、噴射ノズル17に対応する箇所に設けられ噴射ノズル17の噴射口に近接して対向する開口部39と、この開口部39を開閉する開閉体40とを有している。
【００４０】
開口部39は、噴射ノズル17の数に対応して設けられており、噴射ノズル17の噴射口より大きい矩形状に開口されている。
【００４１】
開閉体40は、板状のもので、外側管38の外側面において開口部39に対応して設けられている。また、開閉体40は、例えばモータ等の駆動装置（図示せず）の駆動力により、開口部39を開閉するように外側管38に沿ってスライド移動する。すなわち、噴射ノズル17にて洗浄液を噴射させる際には、図５に実線で示すように開閉体40を移動させて開口部39を開状態とする。また、噴射停止後には、図５に二点鎖線で示すように開閉体40を移動させて、開口部39を閉状態とする。なお、駆動装置は、各開閉体40を個別に移動させる構成、および、各開閉体40を一斉に移動させる構成のいずれでもよい。
【００４２】
次に、洗浄装置１の作用等を説明する。
【００４３】
洗浄液を噴射させない場合には、開口部39が閉状態にされ、制御手段12によって、洗浄液の圧力が設定圧力より低い低圧力に保たれるようにポンプ15が制御されて、洗浄液が接続管14内を低圧力で流動する。
【００４４】
洗浄液が接続管14内を低圧力で流動する場合には、各圧力バルブ16が閉状態となる。したがって、洗浄液が噴射ノズル17から噴射されることなく、基端配管部21、長手方向配管部22および幅方向配管部23を低圧力で流動して接続管14内を循環する循環状態となる。
【００４５】
そして、洗浄液を噴射させる場合には、まず、開閉体40をスライド移動させて開口部39を開状態にする。
【００４６】
開口部39を開状態にした後、切替手段にて制御手段12の制御を切り替える。制御手段12の制御が切り替わると、制御手段12によって、洗浄液の圧力を設定圧力以上の高圧力に上昇させるようにポンプ15が制御され、洗浄液が接続管14内を高圧力で流動する。
【００４７】
洗浄液が接続管14内を高圧力で流動する場合には、各圧力バルブ16が開状態となる。したがって、洗浄液を噴射ノズル17から噴射する噴射状態となる。
【００４８】
噴射状態では、タイヤ用ノズル35からタイヤ５に向かって洗浄液が噴射され、タイヤハウス用ノズル36からタイヤハウス６に向かって洗浄液が噴射され、車体底部用ノズル37から車体底部７に向かって洗浄液が噴射される。
【００４９】
このように洗浄液を噴射することにより、タイヤ５、タイヤハウス６および車体底部７に付着した土および泥を除去して、土や泥に含まられる伝染病や土壌伝染病の病原微生物を除去する。
【００５０】
洗浄液を所定量または所定時間噴射して洗浄した後は、切替手段により、制御手段12の制御を切り替えて、噴射手段11を噴射状態から循環状態にする。また、開閉体40をスライド移動させて開閉体40を閉状態にする。
【００５１】
そして、このような洗浄装置１によれば、タイヤ５、タイヤハウス６および車体底部７へ向かって洗浄液を噴射する噴射手段11を備え、この噴射手段11が、車体底部７に環状に位置するように配置された接続管14を有するため、圧力バルブ16および噴射ノズル17をタイヤ５、タイヤハウス６および車体底部７に対応するように設置しやすい。
【００５２】
したがって、噴射手段11によりタイヤ５、タイヤハウス６および車体底部７へ洗浄液を適切に噴射でき、土や泥が付着しやすいが手作業では洗浄しにくいタイヤ５、タイヤハウス６および車体底部７を適切に洗浄できる。
【００５３】
また、車体底部７に環状に位置するように接続管14を配設することにより、その接続管14に圧力バルブ16を取り付けるとともに圧力バルブ16に噴射ノズル17を取り付けると、制御装置にてポンプ15を制御して、タンク13から供給される洗浄液の圧力に応じて、洗浄液が接続管14内で循環される循環状態と、洗浄液が噴射ノズル17から噴射される噴射状態とに選択的に切替可能にできる。
【００５４】
したがって、循環状態と噴射状態とに適宜切り替えることにより、洗浄液の無駄な消費を防止できるのみならず、非噴射時には洗浄液を環状の接続管14内で循環させて洗浄液の凍結を防止でき、温度が低い環境であっても適切に洗浄作業を行うことができる。
【００５５】
接続管14は、車体底部７の形状に対応した長手方向配管部22と、タイヤ５およびタイヤハウス６の形状に対応した幅方向配管部23とを有することにより、接続管14の形状をタイヤ５、タイヤハウス６および車体底部７により正確に対応させることができ、タイヤ５、タイヤハウス６および車体底部７を適切に洗浄できる。
【００５６】
また、噴射手段11は、圧力バルブ16を有するため、制御手段12によりポンプを制御することによってタンク13から接続管14へ供給される洗浄液の圧力を変化させるだけで、循環状態と噴射状態とを選択的に切替可能である。
【００５７】
噴射ノズル17は、噴射口がタイヤ５の向けられたタイヤ用ノズル35と、噴射口がタイヤハウス６に向けられたタイヤハウス用ノズル36と、噴射口が車体底部７に向けられた車体底部用ノズル37とを有することにより、タイヤ５、タイヤハウス６および車体底部７へ向かって洗浄液を確実に噴射でき、適切に洗浄できる。
【００５８】
接続管14は、外側管38を有し、この外側管38が、開口部39と開閉体40とを有することにより、非噴射時に開閉体40を閉状態にして噴射ノズル17が露出しないため、温度が低い環境における噴射ノズル17内での洗浄液の凍結を防止でき、適切に洗浄できる。
【００５９】
また、接続管14は、断熱層33を有することにより、接続管14内が外部の温度環境に影響されにくく、温度が低い環境であっても洗浄液の凍結をより確実に防止できる。特に、タンク13に洗浄液加熱手段が設けられ、タンク13の洗浄液が設定温度に維持される構成では、接続管14内を流動する洗浄液の温度がタンク13内での設定温度から低下しにくく、接続管14内での洗浄液の凍結をより確実に防止できる。
【００６０】
なお、上記一実施の形態では、図２において車両２は、乗用車として示したが、車体３とタイヤ５とタイヤハウス６とを備えた車両２であればよく、例えば、トラクターやトラック等にも適用できる。
【００６１】
洗浄液は、次亜塩素酸を含む消毒液としたが、このような構成には限定されず、噴射することにより土や泥を除去できるものであれば、例えば、他の消毒作用を有する洗剤を含む消毒液や、水等を洗浄液として用いてもよい。
【００６２】
噴射手段11は、タンク13に洗浄液加熱手段が設けられた構成としたが、このような構成には限定されず、洗浄液加熱手段が設けられていない構成にしてもよい。
【００６３】
噴射ノズル17は、タイヤ用ノズル35、タイヤハウス用ノズル36および車体底部用ノズル37のいずれかである構成としたが、このような構成には限定されず、タイヤ５、タイヤハウス６および車体底部７に洗浄液を噴射できる構成であればよい。
【００６４】
接続管14は、基端配管部21、長手方向配管部22および幅方向配管部23を有する構成としたが、このような構成には限定されず、車体底部７に環状に位置するように取り付けられた構成であればよい。
【００６５】
また、接続管14は、断熱層33を有する構成としたが、このような構成には限定されず、断熱層33を有さない構成にしてもよい。
【００６６】
さらに、接続管14に取り付けられた圧力バルブ16の数や間隔は、図１に示す構成に限定されず、適宜設計できる。
【００６７】
ここで、接続管14の変形例を図６および図７に示す。
【００６８】
接続管51は、接続管本体52とこの接続管本体52の外部を覆う外側管53とを有している。
【００６９】
また、接続管本体52は、洗浄液管部54と、この洗浄液管部54に平行に配設された加熱管部55とを有し、これら洗浄液管部54および加熱管部55が断熱層56により覆われている。
【００７０】
洗浄液管部54は、タンク13からの洗浄液が流動するもので、圧力バルブ16を介して噴射ノズル17が接続されている。
【００７１】
加熱管部55は、例えば温水や温風等の加熱用流体が流動して循環し、洗浄液管部54内の洗浄液を加熱する。なお、加熱管部55は、温水や温風だけでなく電熱線を設けて、電気により加熱する構成にしてもよい。
【００７２】
そして、このような接続管51は、洗浄液が流動する洗浄液管部54と、この洗浄液管部54内の洗浄液を加熱する加熱用流体が流動する加熱管部55とを有するため、加熱管部55による加熱効果により洗浄液管部54内の洗浄液の温度が低下しにくい。
【００７３】
したがって、温度の低い環境であっても洗浄液が凍結することを防止でき、適切に洗浄できる。
【００７４】
また、洗浄液として消毒液を用いる場合においては、液温の低下による殺菌効果および消毒効果の低下を防止でき、適切に洗浄できる。
【００７５】
なお、接続管51は、洗浄液管部54内を洗浄液が循環する構成としたが、加熱管部55により洗浄液管部54内の洗浄液を加熱できるため、洗浄液が洗浄液管部54内を循環しない構成にしてもよい。
【００７６】
また、洗浄液が洗浄液管部54内を循環しない構成の場合は、圧力バルブ16を設けずに、接続管51に噴射ノズル17を直接取り付ける構成にしてもよい。
【００７７】
このような構成では、制御手段12がポンプ15を制御することにより、タンク13から洗浄液が供給されて、噴射ノズル17から洗浄液が噴射される。
【００７８】
そして、このような構成の洗浄装置１によれば、タイヤ５、タイヤハウス６および車体底部７へ向かって洗浄液を噴射する噴射手段11を備え、この噴射手段11が、車体底部７に環状に位置するように配設された接続管51を有するため、タイヤ５、タイヤハウス６および車体底部７を洗浄できる。
【００７９】
また、接続管51は、洗浄液が流動する洗浄液管部54と、加熱用流体が流動する加熱管部55とを有するため、非噴射時に洗浄液の凍結を防止でき、温度が低い環境でも適切に洗浄作業を行うことができる。
【符号の説明】
【００８０】
１    洗浄装置
２    車両
５    タイヤ
６    タイヤハウス
７    車体底部
11    噴射手段
12    制御手段
13    タンク
14    接続管
15    ポンプ
16    圧力バルブ
17    噴射ノズル
32    洗浄液管部
35    タイヤ用ノズル
36    タイヤハウス用ノズル
37    車体底部用ノズル
38    外側管
39    開口部
40    開閉体
51    接続管
53    外側管
54    洗浄液管部
55    加熱管部
【図１】
0005800314.tif 000002
【図２】
0005800314.tif 000003
【図３】
0005800314.tif 000004
【図４】
0005800314.tif 000005
【図５】
0005800314.tif 000006
【図６】
0005800314.tif 000007
【図７】
0005800314.tif 000008